(57)【特許請求の範囲】
【請求項１】
栽培ベッドから排出される排液を貯留する第１の排液タンクと、
該第１の排液タンクに接続され、第１の排液タンクから供給される排液を貯留する第２の排液タンクと、
第１の排液タンクと第２の排液タンクとの間に介在配設され、第１の排液タンクから第２の排液タンクへ供給される排液を殺菌する殺菌装置と、
未使用養液の供給源と第２の排液タンクとにそれぞれ接続され、供給源から供給される未使用養液と第２の排液タンクから供給される排液とを混合可能であると共に、給液部に対して給液用の液体を供給可能な給液タンクと、
前記殺菌装置を経由した排液を、第２の排液タンクの貯液量が所定量未満の場合には、該第２の排液タンクに供給し、第２の排液タンクの貯液量が所定量以上の場合には、第２の排液タンクと殺菌装置との間で循環させる制御部と
を有することを特徴とする植物栽培用給液装置。
【請求項２】
請求項１記載の植物栽培用給液装置であって、前記栽培ベッドと前記第１の排液タンクとの間に、栽培ベッドからの排液を貯留し、貯液量が所定量以上に至ったならば、第１の排液タンクに排液を供給する集液タンクが介在配設されていることを特徴とする植物栽培用給液装置。
【請求項３】
請求項２記載の植物栽培用給液装置であって、前記集液タンクに、再利用しない場合に排液を排出する排出手段が設けられていることを特徴とする植物栽培用給液装置。
【請求項４】
栽培ベッドから排出される排液を貯留する第１の排液タンクと、
該第１の排液タンクに接続され、第１の排液タンクから供給される排液を貯留する第２の排液タンクと、
第１の排液タンクと第２の排液タンクとの間に介在配設され、第１の排液タンクから第２の排液タンクへ供給される排液を殺菌する殺菌装置と、
前記殺菌装置を経由した排液を、第２の排液タンクの貯液量が所定量未満の場合には、該第２の排液タンクに供給し、第２の排液タンクの貯液量が所定量以上の場合には、第２の排液タンクと殺菌装置との間で循環させる制御部とを設け、
栽培ベッドへの給液用の液体として排液を利用する場合に、殺菌装置により殺菌された排液を利用することを特徴とする給液方法。
【発明の詳細な説明】
【０００１】
【発明の属する技術分野】
本発明は、栽培ベッドに供給した給液用の液体の排液を利用することができる植物栽培用給液装置及び給液方法に関する。
【０００２】
【従来の技術】
排液を利用することができる給液装置としては、図５に示したものが知られている。すなわち、原水や液肥等の各養液の供給源と接続され、各養液を混合して栽培ベッド１１用の給液部（図示せず）へ給液用の液体を供給可能な給液タンク１０、栽培ベッド１１に接続され、栽培ベッド１１において消費されなかった給液用の液体の排液が流入する排液管１２、該排液管１２に接続された分岐管１３から流入する排液を貯留する排液貯留手段を構成する排液タンク１４、給液タンク１０と排液タンク１４との間に配設される第１の液体供給管１５、排液タンク１４と栽培ベッド１１との間に配設される第２の液体供給管１６、第１の液体供給管１５を経由して排液タンク１４内に流入した給液用の液体及び排液を第２の液体供給管１６を介して栽培ベッド１１に供給するためのポンプ１７、排液タンク１４の前段であって、分岐管１３中に介在配設された殺菌装置１９を有して構成されたものである。
【０００３】
この装置によれば、まず、給液タンク１０に対し、原水の供給源から原水を供給すると共に、液肥の供給源である液肥タンク１０ａ，１０ｂから数種類の液肥を供給して、該給液タンク１０内で混合し、所定の肥料バランス（組成）、濃度の給液用の液体を生成する。次に、弁１８ａを開弁させて排液タンク１４内に所定量に至るまでこの給液用の液体を流入させ、さらに、弁１８ｂを開弁させ、ポンプ１７を起動して栽培ベッド１１に給液用液体を供給する。栽培ベッド１１では植物による給液用液体の吸収、培地による給液用液体の吸収、及びこれに伴う植物又は培地からの蒸散等により、所定量の給液用液体が消費されるが、消費されなかった給液用液体は排液として栽培ベッド１１の下部に集液される。このとき、弁１８ｃを開弁させ、弁１８ｄを閉弁しておけば、集液された排液は、排液管１２及び分岐管１３を経由して排液タンク１４に回収され貯留される。
【０００４】
排液タンク１４内に貯まる排液量が少なければ、給液タンク１０から新たな給液用液体が補給され、排液タンク１４内の液量が所定量を超えないように、液位センサ１４ａにより液位を検出しつつ、これに基づき、弁１８ａ〜１８ｄの開閉を制御し、適宜のタイミングで栽培ベッド１１に給液する。なお、排液タンク１４内の液量が所定量に至っている場合には、栽培ベッド１１から排液が回収されても、排液タンク１４へ貯留せずに、弁１８ｄを開弁させて排出するなどして、液量調整がなされる。
【０００５】
【発明が解決しようとする課題】
ところで、栽培ベッド１１から排出される排液には、相応の雑菌が含まれている。このため、排液を利用する場合には、図５に示したように、排液タンク１４の前段に殺菌装置１９を設けている。
【０００６】
しかしながら、排液は、その流路となる排液管１２及び分岐管１３を間断なく流れてくるため殺菌が不十分になり易い。また、給液量に比例した相当の量の排液が流れてくるため、これを殺菌するためには、大型かつ高性能の殺菌装置でなければならない。実際、従来用いられている殺菌装置は大型で高価なものである。また、給液量の増減に伴って、殺菌対象となる排液の流量が少ない場合もあるが、排液流量が多量の場合にも対応できるように大型かつ高性能の殺菌装置を備えていると、排液流量が少ない場合にかかる装置の有効利用ができないことになる。
【０００７】
また、排液タンク１４に流入する排液の量が一定でないため、実際に栽培ベッドに供給する給液用液体は、排液タンク１４内の濃度を測定して、この濃度が一定になるように給液タンク１０から補給する新たな給液用液体の流量や濃度を制御して調製している。作物の状態や給液時間帯等によって、排液の利用量（混合比）を積極的に増加させたり減らしたりするのが望ましい場合もあるが、図５に示した従来の装置では、このように排液の混合比を積極的にコントロールすることは困難であった。
【０００８】
本発明は上記事情に鑑みなされたものであり、殺菌装置として安価で小型な殺菌装置を利用することが可能な植物栽培用給液装置及び給液方法を提供することを課題とする。また、従来よりも確実に排液を殺菌することができる植物栽培用給液装置及び給液方法を提供することを課題とする。さらに、排液の混合比を積極的にコントロールすることができる植物栽培用給液装置及び給液方法を提供することを課題とする。
【０００９】
【課題を解決するための手段】
上記した課題を解決するため、請求項１記載の本発明の植物栽培用給液装置は、
栽培ベッドから排出される排液を貯留する第１の排液タンクと、
該第１の排液タンクに接続され、第１の排液タンクから供給される排液を貯留する第２の排液タンクと、
第１の排液タンクと第２の排液タンクとの間に介在配設され、第１の排液タンクから第２の排液タンクへ供給される排液を殺菌する殺菌装置と、
未使用養液の供給源と第２の排液タンクとにそれぞれ接続され、供給源から供給される未使用養液と第２の排液タンクから供給される排液とを混合可能であると共に、給液部に対して給液用の液体を供給可能な給液タンクと、
前記殺菌装置を経由した排液を、第２の排液タンクの貯液量が所定量未満の場合には、該第２の排液タンクに供給し、第２の排液タンクの貯液量が所定量以上の場合には、第２の排液タンクと殺菌装置との間で循環させる制御部と
を有することを特徴とする。
【００１０】
請求項２記載の本発明の植物栽培用給液装置は、請求項１記載の植物栽培用給液装置であって、前記栽培ベッドと前記第１の排液タンクとの間に、栽培ベッドからの排液を貯留し、貯液量が所定量以上に至ったならば、第１の排液タンクに排液を供給する集液タンクが介在配設されていることを特徴とする。
【００１１】
請求項３記載の本発明の植物栽培用給液装置は、請求項２記載の植物栽培用給液装置であって、前記集液タンクに、再利用しない場合に排液を排出する排出手段が設けられていることを特徴とする。
【００１２】
請求項４記載の本発明の給液方法は、
栽培ベッドから排出される排液を貯留する第１の排液タンクと、
該第１の排液タンクに接続され、第１の排液タンクから供給される排液を貯留する第２の排液タンクと、
第１の排液タンクと第２の排液タンクとの間に介在配設され、第１の排液タンクから第２の排液タンクへ供給される排液を殺菌する殺菌装置と、
前記殺菌装置を経由した排液を、第２の排液タンクの貯液量が所定量未満の場合には、該第２の排液タンクに供給し、第２の排液タンクの貯液量が所定量以上の場合には、第２の排液タンクと殺菌装置との間で循環させる制御部とを設け、
栽培ベッドへの給液用の液体として排液を利用する場合に、殺菌装置により殺菌された排液を利用することを特徴とする。
【００１３】
【発明の実施の形態】
以下、図面に示した実施の形態に基づき本発明をさらに詳細に説明する。図１及び図２は、本発明の一の実施の形態にかかる植物栽培用給液装置を示す概略構成図であり、この植物栽培用給液装置は、図に示したように、栽培ベッド８に供給する給液用液体を生成する給液タンク１、排液貯留手段を構成する第１の排液タンク２、第２の排液タンク３及び集液タンク４、殺菌装置５、流量制御部６を備えて構成される。
【００１４】
給液タンク１は、原水供給源から送られてくる原水が流入し得ると共に、いくつかの液肥タンク１ａ，１ｂから適宜の液肥が流入し得る構成であり、原水と液肥とを所定の比率で混合することにより、所望の濃度、組成の給液用液体を生成する。なお、ここでいう「給液用液体」とは、給液タンク１に一旦貯留されて栽培ベッド８に実際に供給される液体のことを指し、このように原水と液肥を混合したものが含まれることはもちろんのこと、場合によっては、原水のみ、あるいは液肥のみが該当する場合もある。もちろん、本発明の目的から、後述のように、原水及び／又は液肥といった未使用養液に、排液を混合したものが「給液用液体」となる場合もある。また、原水供給源及び液肥タンク１ａ，１ｂが本明細書でいう未使用養液の供給源に相当する。
【００１５】
給液タンク１には、給液対象である栽培ベッド８の上方に設けた散布装置（図示せず）又は、栽培ベッド８を構成する培地上又は培地中に配設された散布管（図示せず）に対して給液用液体を供給する給液管１ｃが接続されている。なお、この散布装置や散布管が本明細書でいう「給液部」を構成する。
【００１６】
栽培ベッド８には、適宜位置、通常、下部に該栽培ベッド８の長手方向に沿ってドレン部（図示せず）が設けられており、このドレン部において排液が集まる箇所に排液管７の一端７ａが接続される。排液管７の他端７ｂには、排液を貯留する集液タンク４が接続されている。集液タンク４には、排液を再利用しない場合に供給された排液をそのまま排出する排出手段が設けられている。本実施の形態では、この排出手段を、集液タンク４と後述の第１の排液タンク２との間に配設される第１の連結管４１の中途に配設される切り替えバルブ４１ａと、この切り替えバルブ４１ａに一端が接続され、他端が適宜の排水処理地に排出し得るように設けらた排出管４１ｂとから構成しているが、これに限定されるものではないことはもちろんである。
【００１７】
また、本実施の形態では、集液タンク４を２つ設置し、第１の連結管４１、切り替えバルブ４１ａ等もそれぞれに設けているが、これは、集液タンク４に流入する排液量に見合った数であればよく、２つに制限されるものではない。また、集液タンク４の容量によって、設置数を増減することもできる。
【００１８】
第１の連結管４１には、集液タンク４に貯留された排液を第１の排液タンク２に供給するためのポンプ４１ｃが付設されていると共に、逆流を防ぐチェック弁４１ｄ、さらには、排液中に含まれる汚泥等の不純物を除去するフィルタ４１ｅが設けられている。
【００１９】
第１の排液タンク２は、上記したように、第１の連結管４１を介して集液タンク４に接続されており、集液タンク４内の排液の貯液量が所定量以上となるとポンプ４１ｃが動作して、この第１の排液タンク２に排液が流入する。なお、栽培ベッド８からの排液をこの第１の排液タンク２に直接貯留させる構成とすることも可能であるが、栽培ベッド８が温室内に複数列設置されているような場合には、集液タンク４を例えば各列に対応させて設置し、この複数の集液タンク４に貯留された排液を第１の排液タンク２に収容するようにすると、第１の排液タンク２、第２の排液タンク３及び給液タンク１等の設置数を少なくすることができる。
【００２０】
第１の排液タンク２には、第２の連結管２１の一端が接続されており、この第２の連結管２１の他端に殺菌装置５が接続されている。また、第２の連結管２１には、ポンプ２１ａ、フィルタ２１ｂが介在配設されている。殺菌装置５には、殺菌済みの排液を流出させるための第３の連結管５１が接続されていると共に、さらに、第３の連結管５１からは、殺菌済みの排液を再度第１の排液タンク２に還流させる還流管である第４の連結管５２と、殺菌済みの排液を第２の排液タンク３に供給する第５の連結管５３とが枝分かれするように設けられている。また、第３の連結管５１を経由した殺菌済みの排液を第４の連結管５２と第５の連結管５３とに選択的に供給するため、第４の連結管５２と第５の連結管５３には、それぞれ電動式の開閉弁５２ａ，５３ａが介在配設されている。
【００２１】
ここで、殺菌装置５の種類は限定されるものではなく、加熱式のもの、紫外線を用いたもの、ろ過装置を用いたもの、あるいはこれらを適宜に組み合わせたもの等を用いることができる。但し、本実施の形態においては、排液を一旦第１の排液タンク２に貯留した後、ポンプ２１ａを駆動して、一定の流量で殺菌装置５を通過させることができるため、殺菌装置５としては、この流量に見合うものであればよく、従来のように、排液量が最大の場合に合わせた大型かつ高性能のものでなくてもよい。
【００２２】
上記した電動式の開閉弁５２ａ，５３ａは、第２の排液タンク３内の貯液量が所定量未満の場合には、開閉弁５２ａが閉じ、開閉弁５３ａが開弁する。これにより、第５の連結管５３を経由して殺菌済みの排液が第２の排液タンク３に供給される。その一方、第２の排液タンク３内の貯液量が所定量以上の場合には、開閉弁５２ａが開弁し、開閉弁５３ａが閉じる。これにより、殺菌済みの排液が第１の排液タンク２に還流される。なお、図示しないＣＰＵと、上記した開閉弁５２ａ，５３ａと、第２の排液タンク３に設けられる液面センサ（図示せず）とにより、かかる制御を行う制御部を構成する。
【００２３】
第２の排液タンク３には、給液タンク１と接続される第６の連結管３１が接続されている。この第６の連結管３１には、ポンプ３１ａ及びフィルタ３１ｂが介在配設されていると共に、流量制御部６が給液タンク１の前段位置に設けられている。流量制御部６は、殺菌済みの排液を給液タンク１に供給する量を調整するものであり、かかる機能を果たすものであれば、どのようなものであってもよく、例えば、流量制御弁、流量メータ、及び流量制御弁を制御するＣＰＵ（いずれも図示せず）から構成することができる。
【００２４】
本実施の形態によれば、まず、給液タンク１において、栽培ベッド８に実際に供給する給液用液体を生成する。最初に給液する際であって、排液の戻りがない状態と仮定すると、まず、未使用養液の供給源である原水供給源と液肥タンク１ａ，１ｂとから、原水及び任意の液肥を所定の組成比、濃度で給液タンク１内に供給して混合する。これにより、給液用液体を生成したならば、ポンプ１ｄにより該給液用液体を給液管１ｃに送り出し、給液部を構成する図示しない散布装置や散布管を通じて栽培ベッド８に供給する。栽培ベッド８においては、供給された給液用液体が、植物や培地により吸収され、あるいは、蒸発し、所定量消費される。そして、消費されなかった給液用液体が、排液として栽培ベッド８から排出され、本実施の形態では集液タンク４に回収される。
【００２５】
集液タンク４内の排液量が所定量以上に至ったことを図示しない液面センサが検知した場合には、ポンプ４１ｃが起動して、集液タンク４内の排液を第１の連結管４１を通じて第１の排液タンク２内に供給する。
【００２６】
第１の排液タンク２では、貯液量が所定量未満の場合には、この集液タンク４から供給される排液が次々に貯液されていく。但し、この第１の排液タンク２と第２の排液タンク３との貯液量が共に所定量に至っている場合には、第１の排液タンク２では、所定の貯液量を維持するよう、集液タンク４からさらに送られてくる余剰の排液は、オーバーフロー等の排出手段を通じて排出する。
【００２７】
一方、第１の排液タンク２内の貯液量が所定量に至ったことを図示しない液面センサにより検知したならば、ポンプ２１ａが起動して、第１の排液タンク２内の排液を第２の連結管２１に送り込む。第２の連結管２１に送り込まれた排液は殺菌装置５を通過する際に殺菌処理される。この際、第１の排液タンク２内の貯液量が所定量に至るとポンプ２１ａが起動する構成であるため、殺菌装置５を通過する排液は一定量に制限されている。従って、殺菌装置５としては、この流量に見合う装置であれば、十分な殺菌処理を施すことができる。
【００２８】
殺菌装置５を通過した排液は、上記したように、第２の排液タンク３内の貯液量が所定量未満の場合には、開閉弁５２ａが閉じ、開閉弁５３ａが開弁するため、第５の連結管５３を経由して第２の排液タンク３に供給される。その一方、第２の排液タンク３内の貯液量が所定量に至っている場合には、開閉弁５２ａが開弁し、開閉弁５３ａが閉じて、第１の排液タンク２に還流される。第２の排液タンク３内の貯液量が所定量未満とならない限り、殺菌装置５を通過した排液は、第１の排液タンク２に還流された後、再び殺菌装置５により殺菌処理されるため、高い精度の殺菌処理を行うことができる。
【００２９】
第２の排液タンク３内には、この殺菌処理された排液が貯液されていくが、適宜にポンプ３１ａを起動して給液タンク１に供給する。「適宜に」というのは、この第２の排液タンク３から給液タンク１への排液の流入量は、流量制御部６によって制御されるため、給液タンク１に任意の量の排液を混入させることが流量制御部６のＣＰＵから指令が来たならば、ポンプ３１ａが起動することによるものである。すなわち、このポンプ３１ａは、上記した他のポンプ２１ａと異なり、第２の排液タンク３内の排液の貯液量が所定以上となったら起動するというように制御しているわけではないからである。
【００３０】
但し、第２の排液タンク３内の貯液量が所定量以上となっている場合には、第１の排液タンク２から流出した排液は殺菌装置５を経由して再び第１の排液タンク２に流入するように還流されることは上記したとおりである。また、第２の排液タンク３と第１の排液タンク２のいずれもが、所定量以上の貯液量に至っている場合には、集液タンク４から第１の排液タンク２へ供給される前に、排出手段を通じて排出されることも上記したとおりである。
【００３１】
流量制御部６によりポンプ３１ａが起動したならば、所定量の排液が給液タンク１内に供給される。給液タンク１には、未使用養液の供給源である原水供給源と液肥タンク１ａ，１ｂとから、原水及び任意の液肥（未使用養液）を所定の組成比、濃度で給液タンク１内に供給される。この結果、排液と未使用養液とが混合されることになるが、本実施の形態によれば、排液の混入量を、作物の状態や給液時間等に合わせて流量制御部６により積極的にコントロールすることができる。従って、必要に応じて、排液を全く混入させないものを新たな給液用液体とすることもできるし、この新たな給液用液体をすべて排液から構成することもできる。このようにして、新たな給液用液体を生成したならば、ポンプ１ｄにより該給液用液体を給液管１ｃに送り出し、図示しない散布装置や散布管を通じて栽培ベッド８に供給する。栽培ベッド８においては、供給された給液用液体が、植物や培地により吸収され、あるいは、蒸発し、所定量消費される。そして、消費されなかった給液用液体が、再び、排液として栽培ベッド８から排出され、集液タンク４に回収されて、さらに上記した処理を繰り返す。
【００３２】
次に、図３及び図４に基づき、本発明の他の実施の形態を説明する。なお、これらの図において、上記した実施の形態と同じ部材については同一の符号をつけて示す。本実施の形態に係る植物栽培用給液装置は、図に示したように、栽培ベッド８に供給する給液用液体を生成する給液タンク１、排液貯留手段を構成する第１の排液タンク２、第２の排液タンク３、集液タンク４、殺菌装置５、流量制御部６を備えている点で上記実施の形態と同様である。
【００３３】
但し、殺菌装置５は、第２の排液タンク３が所定量以上の場合に第１の排液タンク２に還流させる還流管（上記実施の形態の第４の連結管５２に相当）を有しておらず、殺菌装置５と第２の排液タンク３とを直接結ぶ連結管５５のみが設けられている点で上記した実施の形態と異なる。
【００３４】
その一方、第１の排液タンク２と殺菌装置５とを結ぶ第２の連結管２１の中途と、第２の排液タンク３との間には、第２の排液タンク３が所定量以上の場合に、第２の排液タンク３から排液を排出して殺菌装置５との間でこの排液を循環させるための還流管３２が別途設けられている。なお、第２の連結管２１とこの還流管３２の中途には、それぞれ電動式の開閉弁２１ｃ，３２ａが介在配設されており、図示しないＣＰＵからの信号に基づき、開閉制御される。従って、本実施の形態では、この開閉弁２１ｃ，３２ａも含めて制御部が構成される。
【００３５】
次に、本実施の形態にかかる植物栽培用給液装置の作用を図４に基づき説明する。まず、第１の排液タンク２に排液が貯液されていくまでは上記した実施の形態と同様である。第１の排液タンク２内の貯液量が所定量に至ったことを図示しない液面センサにより検知したならば、ポンプ２１ａが起動して、第１の排液タンク２内の排液を第２の連結管２１に送り込まれるが、この際、本実施の形態では、第２の排液タンク３内の貯液量が所定量に至っていないことを図示しない液面センサにより検知している場合には、開閉弁２１ｃが開放制御され、開閉弁３２ａが閉弁制御される。これにより、第１の排液タンク２内の排液は、第２の連結管２１を経由して殺菌装置５に送り込まれ、殺菌処理される。なお、第１の排液タンク２内の貯液量が所定量に至るとポンプ２１ａが起動する構成であるため、殺菌装置５を通過する排液は一定量に制限されており、この流量に見合う殺菌装置であれば、十分な殺菌処理を施すことができることは上記した実施の形態と同様である。殺菌処理された排液は、第２の排液タンク３に余裕があるため、連結管５５を経由して第２の排液タンク３に供給される。
【００３６】
一方、第２の排液タンク３内の貯液量が所定量以上の場合には、開閉弁２１ｃが閉じ、開閉弁３２ａが開放制御され、さらに、ポンプ２１ａの動力により、還流管３２を介して第２の排液タンク３と殺菌装置５との間を排液が循環する。
【００３７】
すなわち、上記した実施の形態では、第２の排液タンク３内の貯液量が所定量以上の場合には、殺菌装置５と第１の排液タンク２との間で排液を循環させているが、本実施の形態では、第２の排液タンク３内の貯液量が所定量以上の場合には、第２の排液タンク３と殺菌装置５との間で排液を循環させる構成である。
【００３８】
上記した実施の形態によれば、第２の排液タンク３内の貯液量が所定量以上の場合に、殺菌装置５と第１の排液タンク２との間で排液を循環させているため、第２の排液タンク３内の排液が給液タンク１に供給されるまでの間、排液が第２の排液タンク３内に滞留することになる。このため、第２の排液タンク３内で、殺菌されずに残留した菌により菌密度が上昇する可能性がある。これに対し、本実施の形態によれば、このような場合、すなわち、第２の排液タンク３内の貯液量が所定量以上の場合には、殺菌装置５との間で排液が循環し、さらに殺菌処理される構成であるため、残留菌による菌密度の上昇を防ぎ、より高い殺菌効果を期待できるという利点を有する。
【００３９】
なお、その後、流量制御部６により、排液が給液タンク１に供給される以降の作用は上記した実施の形態と同様である。
【００４０】
【発明の効果】
請求項１記載の本発明の植物栽培用給液装置によれば、栽培ベッドから排出される排液を貯留する第１の排液タンクと、該第１の排液タンクに接続され、第１の排液タンクから供給される排液を貯留する第２の排液タンクと、第１の排液タンクと第２の排液タンクとの間に介在配設され、第１の排液タンクから第２の排液タンクへ供給される排液を殺菌する殺菌装置と、前記殺菌装置を経由した排液を、第２の排液タンクの貯液量が所定量未満の場合には、該第２の排液タンクに供給し、第２の排液タンクの貯液量が所定量以上の場合には、第２の排液タンクと殺菌装置との間で循環させる制御部とを有している。従って、第１の排液タンクから第２の排液タンクへ供給される排液の量が一定であるため、従来のように、大量の排液が流れてきた場合にも対処できるように大型の殺菌装置を採用する必要はなく、流量に見合った安価で小型な殺菌装置を利用することができる。また、殺菌対象となる排液の処理量が一定であるため、確実に排液を殺菌することができる。また、第２の排液タンク内における菌密度の上昇を防ぎ、より高い殺菌効果を期待できる。
【００４１】
請求項２記載の本発明の植物栽培用給液装置によれば、前記栽培ベッドと前記第１の排液タンクとの間に、栽培ベッドからの排液を貯留し、貯液量が所定量以上に至ったならば、第１の排液タンクに排液を供給する集液タンクが介在配設されている。従って、栽培ベッドが温室内に複数列設置されているような場合には、集液タンクを例えば各列に対応させて設置し、この複数の集液タンクに貯留された排液を第１の排液タンクに収容するようにすると、第１の排液タンク、第２の排液タンク及び給液タンク等の設置数を少なくすることができる。
【００４２】
請求項３記載の本発明の植物栽培用給液装置によれば、前記集液タンクに、排液の排出手段が設けられているため、再利用しない場合には排液を排出することができる。
【００４３】
請求項４記載の本発明の給液方法によれば、栽培ベッドから排出される排液を貯留する第１の排液タンクと、該第１の排液タンクに接続され、第１の排液タンクから供給される排液を貯留する第２の排液タンクと、第１の排液タンクと第２の排液タンクとの間に介在配設され、第１の排液タンクから第２の排液タンクへ供給される排液を殺菌する殺菌装置と、前記殺菌装置を経由した排液を、第２の排液タンクの貯液量が所定量未満の場合には、該第２の排液タンクに供給し、第２の排液タンクの貯液量が所定量以上の場合には、第２の排液タンクと殺菌装置との間で循環させる制御部とを設け、栽培ベッドへの給液用の液体として排液を利用する場合に、殺菌装置により殺菌された排液を利用することを特徴とする。従って、第２の排液タンク内における菌密度の上昇を防ぎ、より高い殺菌効果を期待できる。
【図面の簡単な説明】
【図１】図１は、本発明の一の実施の形態にかかる植物栽培用給液装置を示す概略構成図である。
【図２】図２は、同実施の形態にかかる植物栽培用給液装置の作用を説明するための図である。
【図３】図３は、本発明の他の実施の形態にかかる植物栽培用給液装置を示す概略構成図である。
【図４】図４は、同実施の形態にかかる植物栽培用給液装置の作用を説明するための図である。
【図５】図５は、従来の植物栽培用給液装置を示す概略構成図である。
【符号の説明】
１  給液タンク
２  第１の排液タンク
３  第２の排液タンク
４  集液タンク
８  栽培ベッド
【図１】
0004094757.tif 000002
【図２】
0004094757.tif 000003
【図３】
0004094757.tif 000004
【図４】
0004094757.tif 000005
【図５】
0004094757.tif 000006